(57)【要約】【課題】  冷却或いは加熱の効率を向上し得る物品販売用装置を得る。【解決手段】  缶飲料自動販売機１０の筐体１２内における上部寄りの箇所に、缶飲料１４がそれぞれ内部に装填される第１ラック２１から第６ラック２６までが、並列的に並んだ形に配置される。筐体１２内の下部寄りの箇所に送風用のファン２０が配置され、ラック２１〜２６からそれぞれ放出されて落下した缶飲料１４が転がりつつ案内されるように、シュータ２８がラック２１〜２６とファン２０との間の箇所に配置される。シュータ２８とファン２０との間にガイドダクト３２が配置され、ファン２０から送風される気体をこのガイドダクト３２がシュータ２８まで案内する構造とされる。これに伴い、気体はシュータ２８に設けられた貫通穴３０を通過して、ラック２１〜２６に向かって送風される。【選択図】  図１
2006221420.tif 000002
【特許請求の範囲】
【請求項１】
並列的に並んだ形に配置され且つ、被収納物がそれぞれ内部に装填される複数のラックと、
複数のラックの下部に配置されて複数のラックに向かって送風するファンと、
ラックから放出された被収納物を案内するようにラックとファンとの間に配置され且つ、ファンから送風される気体を通過させる貫通穴を有したシュータと、
シュータとファンとの間に配置され且つ、ファンから送風される気体をシュータまで案内するガイドダクトと、
を有することを特徴とする物品販売用装置。
【請求項２】
並列的に並んだ形に配置され且つ、被収納物がそれぞれ内部に装填される複数のラックと、
複数のラックの下部に配置されて複数のラックに向かって送風するファンと、
ラックから放出された被収納物を案内するようにラックとファンとの間に配置され且つ、ファンから送風される気体を通過させる貫通穴を有したシュータと、
ラックの下部に一端が取り付けられてファンから送風される気体をラック内の被収納物に案内するルーバーと、
を有することを特徴とする物品販売用装置。
【請求項３】
並列的に並んだ形に配置され且つ、被収納物がそれぞれ内部に装填される複数のラックと、
複数のラックの下部に配置されて複数のラックに向かって送風するファンと、
ラックから放出された被収納物を案内するようにラックとファンとの間に配置され且つ、ファンから送風される気体を通過させる貫通穴を有したシュータと、
シュータとファンとの間に配置され且つ、ファンから送風される気体をシュータまで案内するガイドダクトと、
ラックの下部に一端が取り付けられてファンから送風される気体をラック内の被収納物に案内するルーバーと、
を有することを特徴とする物品販売用装置。
【発明の詳細な説明】
【技術分野】
【０００１】
本発明は、冷却或いは加熱の効率を向上した物品販売用装置に関し、特に複数種類の缶飲料を販売可能な缶飲料自動販売機に好適なものである。
【背景技術】
【０００２】
従来から存在する各種の物品販売用装置の内の例えば缶飲料自動販売機には、複数種類の缶飲料を販売できるように、複数のラックが並列して内部に配置され、これら各ラック内にそれぞれ缶飲料が装填される構造になっている。そして、この缶飲料自動販売機の各ラック２１〜２６内に装填された缶飲料１４を冷却或いは加熱する為に、図５に示すように、冷却器１６や加熱器１８だけでなく、冷却或いは加熱された気体を送風する為にファン２０が、缶飲料自動販売機に内蔵された構造になっている。
【０００３】
従って、冷却用の気体や加熱用の気体がファン２０により缶飲料自動販売機の庫内に送風されて各ラック内の缶飲料１４を冷却したり或いは加熱し、さらに吸気ダクト３８から吸い込まれて冷却器１６及び加熱器１８を再度通過することで、この気体が庫内で循環するようになっている。
【発明の開示】
【発明が解決しようとする課題】
【０００４】
但し、図５に示すこの缶飲料自動販売機の庫内には６つのラック２１〜２６が例えば存在しているが、この内の第３ラック２３及び第４ラック２４の下部周辺においては、この缶飲料自動販売機の前方から後方へ向かう気流Ｂと、ファン２０による負圧に引き込まれて下方に向かう気流Ａとに、枝分かれして気流が流れるようになる。
【０００５】
従って、気流Ａのような流れが発生するのに伴い、冷却器１６や加熱器１８を循環しない気体が生じることになる結果、ラックに装填されている缶飲料１４を、効率的に冷却や加熱できない欠点が生じるようになる。
【０００６】
さらに、ファン出口の気体の吹き出し風速は、例えば７．１ｍ／ｓであるのに対し、シュータ２８通過後における最も速い箇所での気体の風速でも、ファン出口風速比約４２％の約３ｍ／ｓに減少して、気体の風速をも表す図５の矢印が小さくなってしまっていた。この結果、缶飲料１４に気体が十分に当たらなくなる為に、上記と同様にラック２１〜２６に装填されている缶飲料１４を、効率的に冷却或いは加熱できない欠点が生じるようになる。
本発明は上記事実を考慮し、冷却或いは加熱の効率を向上し得る物品販売用装置を提供することが目的である。
【課題を解決するための手段】
【０００７】
請求項１に係る物品販売用装置は、並列的に並んだ形に配置され且つ、被収納物がそれぞれ内部に装填される複数のラックと、
複数のラックの下部に配置されて複数のラックに向かって送風するファンと、
ラックから放出された被収納物を案内するようにラックとファンとの間に配置され且つ、ファンから送風される気体を通過させる貫通穴を有したシュータと、
シュータとファンとの間に配置され且つ、ファンから送風される気体をシュータまで案内するガイドダクトと、
を有することを特徴とする。
【０００８】
請求項１に係る物品販売用装置の作用を以下に説明する。
本請求項に係る物品販売用装置は、それぞれ内部に被収納物が装填されている複数のラックが並列的に並んだ形に配置され、これら複数のラックに向かって気体を送風するファンが複数のラックの下部に配置された構造となっている。
【０００９】
また、これらラックとファンとの間に配置されたシュータが、ラックから放出された被収納物を案内するものの、このシュータは貫通穴を有している。このことから、ファンから送風される気体をシュータまでガイドダクトが案内し、この後にシュータに設けられた貫通穴を通過してラック側に気体が流れるようになっている。
【００１０】
つまり、本請求項では、ファンから送風される気体を案内する為のガイドダクトが存在し、ファンの動作に伴って発生する負圧に引き込まれてファン側である下方に向かう流れが、このガイドダクトにより邪魔されて生じないようになり、また、ファンから送風される気体がガイドダクトにより案内されつつシュータまで送られることで、気体の流れの乱れも少なくなり、シュータ通過後における気体の風速も高まる。この結果として、物品販売用装置内のラックに装填されている被収納物である例えば缶飲料が、効率的に冷却或いは加熱されるようになる。
【００１１】
以上より、本請求項に係る物品販売用装置によれば、簡易な構造で低コストに製作可能なようなガイドダクトを有した構造とすることにより、低コストで冷却或いは加熱の効率を向上して、省エネルギー化を図ることが可能となった。
【００１２】
請求項２に係る物品販売用装置は、並列的に並んだ形に配置され且つ、被収納物がそれぞれ内部に装填される複数のラックと、
複数のラックの下部に配置されて複数のラックに向かって送風するファンと、
ラックから放出された被収納物を案内するようにラックとファンとの間に配置され且つ、ファンから送風される気体を通過させる貫通穴を有したシュータと、
ラックの下部に一端が取り付けられてファンから送風される気体をラック内の被収納物に案内するルーバーと、
を有することを特徴とする。
【００１３】
請求項２に係る物品販売用装置の作用を以下に説明する。
本請求項に係る物品販売用装置は、それぞれ内部に被収納物が装填されている複数のラックが並列的に並んだ形に配置され、これら複数のラックに向かって気体を送風するファンが複数のラックの下部に配置された構造となっている。
【００１４】
また、これらラックとファンとの間に配置されたシュータが、ラックから放出された被収納物を案内するものの、このシュータは貫通穴を有している。このことから、ファンから送風される気体がこの貫通穴を通過した後に、ルーバーによりこの気体がラック内の被収納物に向かって案内されるようになっている。
【００１５】
つまり、本請求項では、ファンから送風される気体をラック内の被収納物に向かうように案内するルーバーが存在することで、ファンから送風された気体が、シュータ通過後においてこのルーバーによってより強く確実に被収納物に当たるようになる。この結果として、物品販売用装置内のラックに装填されている被収納物である例えば缶飲料が、請求項１と同様に効率的に冷却或いは加熱されるようになる。
【００１６】
以上より、本請求項に係る物品販売用装置によれば、簡易な構造で低コストに製作可能なような案内材であるルーバーをラックに取り付けた構造とすることにより、低コストで冷却或いは加熱の効率を向上して、省エネルギー化を図ることが可能となった。
【００１７】
請求項３に係る物品販売用装置は、並列的に並んだ形に配置され且つ、被収納物がそれぞれ内部に装填される複数のラックと、
複数のラックの下部に配置されて複数のラックに向かって送風するファンと、
ラックから放出された被収納物を案内するようにラックとファンとの間に配置され且つ、ファンから送風される気体を通過させる貫通穴を有したシュータと、
シュータとファンとの間に配置され且つ、ファンから送風される気体をシュータまで案内するガイドダクトと、
ラックの下部に一端が取り付けられてファンから送風される気体をラック内の被収納物に案内するルーバーと、
を有することを特徴とする。
【００１８】
請求項３に係る物品販売用装置の作用を以下に説明する。
本請求項に係る物品販売用装置は、それぞれ内部に被収納物が装填されている複数のラックが並列的に並んだ形に配置され、これら複数のラックに向かって気体を送風するファンが複数のラックの下部に配置された構造となっている。
【００１９】
また、これらラックとファンとの間に配置されたシュータが、ラックから放出された被収納物を案内するものの、このシュータは貫通穴を有している。さらに、シュータとファンとの間にガイドダクトが配置されるだけでなく、気体をラック内の被収納物に案内するルーバーが、ラックの下部に一端が取り付けられた形で配置されている。このことから、ファンから送風される気体をシュータまでガイドダクトが案内し、この後にシュータに設けられた貫通穴を通過してラック側に気体が流れるようになるだけでなく、ルーバーがこの気体をラック内の被収納物に案内するようになっている。
【００２０】
つまり、本請求項では、ファンから送風される気体を案内する為のガイドダクトが存在すると共に、ファンから送風される気体をラック内の被収納物に向かうように案内するルーバーが存在した構造となっている。
【００２１】
この為、ファンの動作に伴って発生する負圧に引き込まれてファン側である下方に向かう流れが、このガイドダクトにより邪魔されて生じないようになり、また、ファンから送風される気体がガイドダクトにより案内されつつシュータまで送られることで、気体の流れの乱れも少なくなり、シュータ通過後における気体の風速も高まる。そして、ファンから送風された気体が、シュータ通過後においてこのルーバーによってより強く確実に被収納物に当たるようにもなる。以上の結果として、物品販売用装置内のラックに装填されている被収納物である例えば缶飲料が、効率的に冷却或いは加熱されるようになる。
【００２２】
以上より、本請求項に係る物品販売用装置によれば、簡易な構造で低コストに製作可能なようなガイドダクトを有すると共に、簡易な構造で低コストに製作可能なようなルーバーをラックに取り付けた構造とすることにより、低コストで冷却或いは加熱の効率を向上して、省エネルギー化を図ることが可能となった。
【発明の効果】
【００２３】
以上説明したように本発明の上記構成によれば、冷却或いは加熱の効率を向上した物品販売用装置を提供でき、特に複数種類の缶飲料を販売可能な缶飲料自動販売機に適用することで、優れた効果を発揮するものである。
【発明を実施するための最良の形態】
【００２４】
以下、本発明に係る物品販売用装置の一実施の形態について、図面を参照して詳細に説明する。図１は、本実施の形態に係る物品販売用装置である缶飲料自動販売機１０を示す断面図であり、この缶飲料自動販売機１０の外枠となる筐体１２の内部における上部寄りの箇所には、被収納物である缶飲料１４がそれぞれ内部に装填される第１ラック２１から第６ラック２６までの６つのラックが、並列的に並んだ形に配置されている。
【００２５】
この缶飲料自動販売機１０の筐体１２内の下部寄りの箇所には、気体を冷却する為の冷却器１６及び気体を加熱する為の加熱器１８が連続して配置されていて、さらにこの加熱器１８に隣り合って送風用のファン２０が配置されている。また、上記複数のラック２１〜２６からそれぞれ放出されて落下した缶飲料１４が缶飲料自動販売機１０の前方（図１における左方）に転がりつつ案内されるように、金属製の板材により形成されたシュータ２８が、ラック２１〜２６とファン２０との間の箇所に、缶飲料自動販売機１０の前方を低くした形で斜めに配置されている。尚、このシュータ２８には複数の貫通穴３０が等間隔で設けられている。
【００２６】
そして、シュータ２８とファン２０との間には、上部ガイド３２Ａ及び下部ガイド３２Ｂからなるガイドダクト３２が配置されていて、ファン２０から送風される気体をこのガイドダクト３２がシュータ２８まで案内する構造になっている。これに伴い、ファン２０から送風される気体はシュータ２８の貫通穴３０を通過して、複数である６つのラック２１〜２６に向かって送風されるようになる。
【００２７】
一方、６つのラック２１〜２６の内の左から３番目の第３ラック２３の下部には、ルーバー３４の上端が取り付けられており、このルーバー３４がファン２０から送風される気体をこの第３ラック２３内の缶飲料１４に案内するようになっている。但し、このルーバー３４は、薄い板材で円弧状に形成された部材を二つ組み合わせたような構造になっている。
【００２８】
また、６つのラック２１〜２６の内の左から５番目の第５ラック２５の下部にも、ルーバー３６の上端が同様に取り付けられており、このルーバー３６がファン２０から送風される気体を第４ラック２４及びこの第５ラック２５内の缶飲料１４に案内するようになっている。但し、このルーバー３６は、単に薄い板材で円弧状に形成された構造になっている。
【００２９】
さらに、缶飲料自動販売機１０の後方（図１における右方）寄りの箇所には、冷却器１６及び加熱器１８に繋がる吸気ダクト３８が配置されていて、筐体１２内における各ラック２１〜２６間の隙間等を通過した気体がこの吸気ダクト３８に吸い込まれて、冷却器１６や加熱器１８により再び冷却或いは加熱されて、循環するようになっている。
【００３０】
次に、本実施の形態に係る缶飲料自動販売機１０の作用を以下に説明する。
本実施の形態に係る缶飲料自動販売機１０は、それぞれ内部に缶飲料１４が装填されている複数のラック２１〜２６が並列的に並んだ形に配置され、これら複数のラック２１〜２６に向かって気体を送風するファン２０が複数のラック２１〜２６の下部に配置された構造となっている。
【００３１】
また、これらラック２１〜２６とファン２０との間に配置されたシュータ２８が、各ラック２１〜２６から放出された缶飲料１４を案内するものの、このシュータ２８は貫通穴３０を有している。さらに、シュータ２８とファン２０との間にガイドダクト３２が配置されるだけでなく、気体をラック２３〜２５内の缶飲料１４に案内するルーバー３４、３６が、ラック２３、２５の下部に一端が取り付けられた形で配置されている。
【００３２】
このことから、ファン２０から送風される気体をシュータ２８までガイドダクト３２が案内し、この後にシュータ２８に設けられた貫通穴３０を通過してラック２１〜２６側に気体が流れるようになる。そして、ルーバー３４がこの気体を第３ラック２３内の缶飲料１４に案内するようになっていると共に、ルーバー３６がこの気体を第４ラック２４及び第５ラック２５内の缶飲料１４に案内するようになっている。
【００３３】
つまり、本実施の形態では、ファン２０から送風される気体を案内する為のガイドダクト３２が存在すると共に、ファン２０から送風される気体をラック２３〜２５内の缶飲料１４に向かうように案内するルーバー３４、３６が存在した構造になっている。
【００３４】
この為、ファン２０の動作に伴って発生する負圧に引き込まれてファン２０側である下方に向かう流れが、このガイドダクト３２により邪魔されて生じないようになり、また、ファン２０から送風される気体がガイドダクト３２により案内されつつシュータ２８まで送られることで、気体の流れの乱れも少なくなり、シュータ２８通過後における気体の風速も高まった。具体的には、ファン出口の気体の吹き出し風速が７．１ｍ／ｓとされる場合、シュータ２８通過後における最も速い箇所での気体の風速は、ファン出口風速比約４９％の約３．５ｍ／ｓとなり、従来例よりも風速が高まったことが確認できた。
【００３５】
そして、ファン２０から送風された気体が、シュータ２８通過後において上記のルーバー３４、３６によってより強く確実に缶飲料１４に当たるようにもなる。以上の結果として、缶飲料自動販売機１０内の各ラック２１〜２６に装填されている缶飲料１４が、効率的に冷却或いは加熱されるようになる。
【００３６】
以上より、本実施の形態に係る缶飲料自動販売機１０によれば、簡易な構造で低コストに製作可能なようなガイドダクト３２を有すると共に、簡易な構造で低コストに製作可能なようなルーバー３４、３６をラック２３、２５に取り付けた構造とすることにより、低コストで冷却或いは加熱の効率を向上して、省エネルギー化を図ることが可能となった。
【００３７】
尚、ルーバー３４、３６の素材として０．１ｍｍ程度の厚さのスチールを採用することで、ルーバー３４、３６を薄く形成可能となり、これに伴いルーバー３４、３６がたとえラック２３、２５から落下する缶飲料１４の通過経路を妨げる位置に配置された構造となっていても、缶飲料１４の自重によって、図２に示すようにルーバー３４、３６が押し広げられて、缶飲料１４が通過するようになる。
【００３８】
また、本実施の形態では、図３に示すようにルーバー３６の断面の半径Ｒを３８ｍｍとすると共に、弦Ｈを３４ｍｍとし、さらに、図３の紙面に垂直な方向に沿ったルーバー３４、３６の長さを４８０ｍｍとすることが考えられる。
【００３９】
次に、本実施の形態に係る缶飲料自動販売機１０による効果を実験により確認した。
まず、ガイドダクト３２及びルーバー３４、３６を有する本実施の形態の缶飲料自動販売機１０の他、ルーバー３４、３６を有さずにガイドダクト３２のみを有した形であるものの本実施の形態とほぼ同様構造の缶飲料自動販売機及び、ガイドダクト３２及びルーバー３４、３６を共に有さないものの本実施の形態とほぼ同様構造の缶飲料自動販売機（つまり、従来機）を、三種類の実験用装置とした。
【００４０】
実験に際して、冷却器や加熱器を用いる替わりに、温度を２３℃に維持した室内に各実験用装置を設置し、缶内の初期水温を５５℃と設定すると共に、缶内の終了時水温を２６．２℃と設定して、各実験用装置において測定開始から終了時水温に達するまでの時間Ｔを測定し、この冷却時間とされる時間Ｔの長短で、冷却効率が高いか否かの判断をするようにした。
【００４１】
この実験の結果、図４のグラフに示すようなデータが得られ、従来機（図４において線分Ａで表す）に対して、ガイドダクト３２のみ有した缶飲料自動販売機（図４において線分Ｂで表す）は、６つのラック２１〜２６の平均で、約１９％の冷却時間の短縮が確認され、また、従来機に対して、ガイドダクト３２及びルーバー３４、３６を有した本実施の形態の缶飲料自動販売機１０（図４において線分Ｃで表す）は、６つのラック２１〜２６の平均で、約２９％の冷却時間の短縮が確認された。
【００４２】
以上より、本実施の形態の缶飲料自動販売機１０による省電力化の効果が期待ができることが判明した。また、ガイドダクト３２及びルーバー３４、３６それぞれの構造自体は簡単であり、特殊な材料を必要としない為に低価格に作製可能である。従って、寸法を容易に変化させることが可能であり、また寸法を変化させることにより、現在使用されているいずれの大きさの缶飲料自動販売機にも容易に取り付けることが出来るようになる。
【００４３】
尚、本実施の形態の缶飲料自動販売機１０では、ガイドダクト３２及び二つのルーバー３４、３６を有した構造としたが、ガイドダクトのみを採用する構造としても良く、また、ルーバーのみを採用する構造としても良い。さらに、ガイドダクト３２及び二つのルーバー３４、３６それぞれの構造は簡単で、特殊な材料を必要としない為に低価格で作製可能であり、また、寸法を変化させることにより、現在使用されているいずれの大きさの缶飲料自動販売機にも容易に取り付け可能となる。
【００４４】
他方、本実施の形態では、特に熱の伝達が不十分となりやすいラックに対応してルーバーを配置したが、ルーバーの数や位置は上記実施の形態に限定されず、更に他の位置に配置しても良い。
【図面の簡単な説明】
【００４５】
【図１】本発明の一実施の形態に係る缶飲料自動販売機を示す断面図である。
【図２】本発明の一実施の形態に係る缶飲料自動販売機のラックから缶飲料が落下する状態を示す断面図である。
【図３】本発明の一実施の形態に係る缶飲料自動販売機に適用されるルーバーの拡大断面図である。
【図４】三種類の実験用装置により得られたデータを表すグラフを示す図である。
【図５】従来の缶飲料自動販売機を示す断面図である。
【符号の説明】
【００４６】
１０      缶飲料自動販売機（物品販売用装置）
１４      缶飲料（被収納物）
２０      ファン
２１      第１ラック
２２      第２ラック
２３      第３ラック
２４      第４ラック
２５      第５ラック
２６      第６ラック
２８      シュータ
３２      ガイドダクト
３４      ルーバー
３６      ルーバー
【図１】
2006221420.tif 000003
【図２】
2006221420.tif 000004
【図３】
2006221420.tif 000005
【図４】
2006221420.tif 000006
【図５】
2006221420.tif 000007